(57)【要約】【課題】  圧縮空気をゴルフプレイヤーの身体の何れかの部分に吹き付けることで、付着した汚れを除去する目的を達成することは出来るが、一般に圧縮空気はエアーコンプレッサによって作り出すのが普通であり、その場合に潤滑油が酸化されること等による不快な臭気を発生する場合が多かった。【解決手段】  圧縮空気に匂いを付加した。【選択図】図１
2009255021.tif 000002
【特許請求の範囲】
【請求項１】
圧縮空気によって付着した汚れを吹き飛ばすゴルフプレイヤーに付着した汚れの除去方法に於いて、圧縮空気に匂いを付加したことを特徴とするゴルフプレイヤーに付着した汚れの除去方法。
【請求項２】
圧縮空気に匂いを付加する前に、圧縮空気を乾燥させたことを特徴とする請求項１に記載のゴルフプレイヤーに付着した汚れの除去方法。
【請求項３】
ゴルフ場で圧縮空気によって付着した汚れを吹き飛ばすゴルフプレイヤーに付着した汚れの除去装置に於いて、圧縮空気を作り出す空気圧縮機（１１）に、匂いを出す芳香剤（３９）を収納した芳香容器（３０）を接続し、更に戸外（２１２）に位置させ必要に応じて圧縮空気を放出するブローガン（４０）を接続したことを特徴とするゴルフプレイヤーに付着した汚れの除去装置。
【請求項４】
前記空気圧縮機（１１）と前記芳香容器（３０）の間に、乾燥装置（２０、２０Ａ）を接続したことを特徴とする請求項３に記載のゴルフプレイヤーに付着した汚れの除去装置。
【請求項５】
前記乾燥装置（２０Ａ）は冷凍式エアードライヤ（２０Ａ）であり、前記冷凍式エアードライヤ（２０Ａ）と、前記空気圧縮機（１１）を構成したエアーコンプレッサ（１０Ａ）を、一体にして乾燥装置一体型エアーコンプレッサ（１）としたことを特徴とする請求項４に記載のゴルフプレイヤーに付着した汚れの除去装置。
【請求項６】
前記芳香容器（３０）を接続していない複数の前記ブローガン（４０）と、前記芳香容器（３０）を接続した複数の前記ブローガン（４０）を、室内（２１１）と戸外（２１２）の間の壁（２５２）を貫通している複数の配管部材（２５３）の戸外（２１２）の側に形成された雄ネジ（２５３ｂ）と接続し、複数の前記芳香容器（３０）には、一種または複数種の芳香剤（３９）を個々に収納することを特徴とする請求項３ないし請求項５のいずれか１項に記載のゴルフプレイヤーに付着した汚れの除去装置。
【請求項７】
前記芳香容器（３０）と前記配管部材（２５３）の間にワンタッチ継手（９４）を配設したことを特徴とする請求項６に記載のゴルフプレイヤーに付着した汚れの除去装置。
【発明の詳細な説明】
【技術分野】
【０００１】  本発明は、ゴルフプレイヤーに付着した汚れの除去方法および除去装置に関する技術であって、更に詳細に述べるならば、圧縮空気に匂いを付加することで、ゴルフプレイヤーに付着した汚れを除去するに際して、一般に圧縮空気はエアーコンプレッサによって作り出すのが普通であり、その場合に潤滑油が酸化されること等による不快な臭気に打ち勝って、ゴルフプレイヤーや周囲の人達に癒しを与えるようにした技術について述べたものである。
【背景技術】
【０００２】  従来、ゴルフプレイヤーに付着した汚れの除去方法および除去装置に関する技術としては、図５に見られるように、圧縮空気によって付着した汚れを吹き飛ばすようなものがあった。【０００３】  その場合、建物２５１の室内２１１には、空気圧縮機１１と電動機１２とエアータンク１３とベルト１４によって構成され、電動機１２の回転運動をベルト１４によって空気圧縮機１１に伝達することによって、大気２０１を吸引して圧縮空気を作り出し、その圧縮空気をエアータンク１３に貯留することが出来るエアーコンプレッサ１０を位置させていた。【０００４】  また、室内２１１と戸外２１２の間の壁２５２に配管部材２５３を貫通させ、その配管部材２５３の室内２１１と戸外２１２の両末端に雄ネジ２５３ａ、２５３ｂを形成させていた。【０００５】  一方、戸外２１２には、必要に応じて圧縮空気を放出することが出来るブローガン４０を位置させ、配管部材２５３両末端の雄ネジ２５３ａ、２５３ｂに、エアーコンプレッサ１０からの雌ネジ継手９２と、ブローガン４０に至る雌ネジ継手９２を接続し、開閉弁９１を開放してエアーコンプレッサ１０を作動させブローガン４０を作動させることで、圧縮空気をゴルフプレイヤー２３１の身体の各部に吹き付け、付着した汚れを除去することが可能となっているのである。
【発明の開示】
【発明が解決しようとする課題】
【０００６】  しかしながら、このような従来のゴルフプレイヤーに付着した汚れの除去方法および除去装置に関しては以下に示すような課題があった。【０００７】  先ず、圧縮空気をゴルフプレイヤーの身体の何れかの部分に吹き付けることで、付着した汚れを除去する目的を達成することは出来るが、一般に圧縮空気はエアーコンプレッサによって作り出すのが普通であり、その場合に潤滑油が酸化されること等による不快な臭気を発生する場合が多かった。【０００８】  また、湿度の高い季節や時間に於いては、圧縮空気を吹き付ける際に、圧縮空気中の水分が露化することで発生する水滴を吹き付けられることも有った。
【課題を解決するための手段】
【０００９】  本発明は、圧縮空気によって付着した汚れを吹き飛ばすゴルフプレイヤーに付着した汚れの除去方法に於いて、圧縮空気に匂いを付加したことを特徴とし、更には、圧縮空気に匂いを付加する前に、圧縮空気を乾燥させたことを特徴とすることによって、上記課題を解決したのである。【００１０】  また、本発明は、ゴルフ場で圧縮空気によって付着した汚れを吹き飛ばすゴルフプレイヤーに付着した汚れの除去装置に於いて、圧縮空気を作り出す空気圧縮機１１に、匂いを出す芳香剤３９を収納した芳香容器３０を接続し、更に戸外２１２に位置させ必要に応じて圧縮空気を放出するブローガン４０を接続したことを特徴とし、更には、前記空気圧縮機１１と前記芳香容器３０の間に、乾燥装置２０、２０Ａを接続したことを特徴とし、前記乾燥装置２０Ａは冷凍式エアードライヤ２０Ａであり、前記冷凍式エアードライヤ２０Ａと、前記空気圧縮機１１を構成したエアーコンプレッサ１０Ａを、一体にして乾燥装置一体型エアーコンプレッサ１としたことを特徴とし、更には、前記芳香容器３０を接続していない複数の前記ブローガン４０と、前記芳香容器３０を接続した複数の前記ブローガン４０を、室内２１１と戸外２１２の間の壁２５２を貫通している複数の配管部材２５３の戸外２１２の側に形成された雄ネジ２５３ｂと接続し、複数の前記芳香容器３０には、一種または複数種の芳香剤３９を個々に収納することを特徴とし、更には、前記芳香容器３０と前記配管部材２５３の間にワンタッチ継手９４を配設したことを特徴とすることによって、上記課題を解決したのである。
【発明の効果】
【００１１】  以上の説明から明らかなように、本発明によって、以下に示すような効果をあげることが出来る。【００１２】  第一に、圧縮空気に匂いを付加したことで、ゴルフプレイヤーに付着した汚れを除去するに際して、付加した匂いが潤滑油が酸化されること等による不快な臭気に打ち勝って、ゴルフプレイヤーや周囲の人達の心が癒されるようになった。【００１３】  第二に、圧縮空気に匂いを付加する前に、圧縮空気を乾燥させることで、湿度の高い季節や時間に、圧縮空気中の水分が露化することで発生する水滴を吹き付けられることを防止出来るようになり、更に水滴によって芳香剤が早期に芳香を発しなくなる事も防止出来るようになった。【００１４】  第三に、圧縮空気を作り出す空気圧縮機に、匂いを出す芳香剤を収納した芳香容器を接続し、更に戸外に位置させ必要に応じて圧縮空気を放出するブローガンを接続したことで、ゴルフプレイヤーに付着した汚れを除去するに際して、付加した匂いが潤滑油が酸化されること等による不快な臭気に打ち勝って、ゴルフプレイヤーや周囲の人達の心が癒されるようになり、戸外で匂いが発することで、圧縮空気に匂いが付加されていても、万一その匂いを好まない人が近くに居ても、その匂いが早い時点に大気中に拡散することで長時間に渡って周囲に籠ることも無く、最低限の影響で済むことが可能となった。【００１５】  第四に、乾燥装置である冷凍式エアードライヤと、空気圧縮機を構成したエアーコンプレッサを、一体にして乾燥装置一体型エアーコンプレッサとしたことで、乾燥装置と空気圧縮機の設置をすることが単純で容易となり、更には両者の占有する面積も極端に少なくなった。【００１６】  第五に、芳香容器を接続していない複数のブローガンと、芳香容器を接続した複数のブローガンを、室内と戸外の間の壁を貫通している複数の配管部材の戸外の側に形成された雄ネジと接続し、複数の芳香容器には、一種または複数種の芳香剤を個々に収納することで、匂いの希望しない人には、無臭の圧縮空気を、匂いの希望する人には、希望する匂いの圧縮空気を、自分の目で選択させて供給することが可能となった。【００１７】  第六に、芳香容器と配管部材の間にワンタッチ継手を配設したことで、この間を必要に応じて分離させることが非常に容易となり、更には芳香容器内の芳香剤を交換することも容易になった。
【発明を実施するための最良の形態】
【００１８】  以下、本発明の実施の形態を図面と共に詳細に説明する。
ここで、図１は、本願発明の全体を示した図であり、図２は、本願発明の芳香容器の詳細図であり、図３は、本願発明の乾燥装置一体型エアーコンプレッサを示した図であり、図４は、本願発明の芳香容器をワンタッチ継手で接続した図である。
【実施例１】
【００１９】  図１や図２に見られるように、１０はエアーコンプレッサであって、空気圧縮機１１と電動機１２とエアータンク１３とベルト１４によって構成され、電動機１２の回転運動をベルト１４によって空気圧縮機１１に伝達することによって、大気２０１を吸引して圧縮空気を作り出し、その圧縮空気をエアータンク１３に貯留することが出来るようになっている。【００２０】  ところで、貯留された圧縮空気は、圧縮空気配管１０１と、手動によって開閉することが可能な開閉弁９１と、圧縮空気配管１０２を経由して、圧縮空気を乾燥させる乾燥装置２０に送り込まれるようになっている。  この場合、乾燥装置２０としては、圧縮空気を冷却することによって乾燥させる方式の冷凍式エアードライヤ２０でも良いし、水分を吸収する乾燥剤によるものでも構わないし、分離膜によって水分を分離する方式のものでも構わない。【００２１】  そして、乾燥した圧縮空気は、圧縮空気配管１０３と、雌ネジ継手９２と、室内２１１と戸外２１２の間の壁２５２を貫通している配管部材２５３と、雌ネジ雄ネジ継手９３を経由して圧縮空気に匂いを付加する芳香容器３０に送り込まれるようになっている。  この場合、雌ネジ継手９２は、図５に見られるように、配管部材２５３に形成された雄ネジ２５３ａに接続可能であり、一方雌ネジ雄ネジ継手９３は、図５に見られるように、配管部材２５３に形成された雄ネジ２５３ｂと、芳香容器３０を構成している本体３１に形成された、図２には具体的に記載されていないが雌ネジである圧縮空気入口３１ａに接続可能となっている。【００２２】  従って、エアーコンプレッサ１０と乾燥装置２０の両者は、室内２１１に位置することになるのである。  当然のことながら、芳香容器３０及び必要に応じて圧縮空気を放出するブローガン４０（詳細は、以降に説明する）の両者は、戸外２１２に位置することになる。【００２３】  この場合、芳香容器３０とブローガン４０が戸外２１２に位置する意味合いは、ブローガン４０より圧縮空気を放出させようとするゴルフプレイヤー２３１が、自分が使用するブローガン４０からどの様な匂いが付加された圧縮空気が放出されるかを、芳香容器３０やそこに記載された文字（図２には具体的に記載していないが）を自分の目で認識出来るという事と、ブローガン４０によって圧縮空気を放出しようとする場所が戸外２１２であるということで、圧縮空気に匂いが付加されていて、万一その匂いを好まない人が近くに居ても、早い時点に大気中に拡散すりために、その匂いが長時間に渡って周囲に籠ることも無いということである。【００２４】  但し、芳香容器３０に関しては、室内２１１に位置させても構わないし、それに対応して付加した匂いの内容に関しては、戸外２１２に位置しているブローガン４０にその内容を文字で表示する方法も考えられる。【００２５】  ここで、芳香容器３０は、本体３１と芳香剤収納チャンバー３２と芳香流出管３３とＯリング３４によって構成されている。  そして、円盤状で上部に位置している本体３１の円形をした下面に、上部が円形をして開放され、底部を有し、円筒状で底部が半球となっていて、芳香剤３９を収納することが出来る容器としての芳香剤収納チャンバー３２が��螺合によってまたは複数本のボルトによって固定され、その間にＯリング３４を位置させることで、芳香剤収納チャンバー３２の内部に収納した芳香剤３９より発生した匂いが外部に漏洩しないように気密を保つようになっているのである。【００２６】  更に、円盤状である本体３１の側面には、図２には具体的に記載されていないが共に雌ネジである圧縮空気入口３１ａと圧縮空気出口３１ｄを形成し、圧縮空気入口３１ａから入口側流路３１ｂを通って圧縮空気が芳香剤収納チャンバー３２の内側上部に圧縮空気を送り込むことが出来るようになっている。  その一方では、円盤状である本体３１の下面中心部に芳香流出管３３を密閉した状態に螺合や溶接によって固定して、出口側流路３１ｃと圧縮空気出口３１ｄに向けて連通可能にすることで、芳香剤収納チャンバー３２の内側底部に位置する芳香剤３９より発生した匂いを持った気体が、圧縮空気と共に芳香流出管３３と出口側流路３１ｃと圧縮空気出口３１ｄを通って送り出すむことが出来るようになっている。【００２７】  尚、圧縮空気入口３１ａと圧縮空気出口３１ｄの位置関係に関しては、１８０度とすることが一つの考え方ではあるが、その値に拘る必要はない。  また、芳香流出管３３の固定する位置に関しても、本体３１の下面中心部でなく入口側流路３１ｂの延長上に固定して、芳香剤収納チャンバー３２の内側底部に圧縮空気を送り込み、芳香剤収納チャンバー３２内側上部の芳香剤３９より発生した匂いを持った気体を、圧縮空気と共に出口側流路３１ｃと圧縮空気出口３１ｄを通って送り出すことも考えられる。  更に、同様な発想から、圧縮空気出口３１ｄを入口とし、圧縮空気入口３１ａを出口として使用することも考えられる。【００２８】  即ち、芳香容器３０の目的とする所は、芳香容器３０を構成している芳香剤収納チャンバー３２の気密を保っている状態の中に芳香剤３９を収納することで、圧縮空気を芳香剤３９に吹き付けて芳香剤３９より匂いを発生させ、その結果として匂いを付加した圧縮空気を作り出そうということなのである。【００２９】  所で、芳香剤３９に関しては、図２を見ると粒子の形状を示しているがこの形状に拘る必要はない。  とにかく、最低限言えることは、芳香剤３９の間を圧縮空気が通過し易い形状であるならば、粒子状でも不織布でも粗い編目の繊維でも、不織布や繊維も大きなものでも切断した小さなものでも、長方形でも正方形でも四角形でも三角形でもその他の形状でも構わない。【００３０】  この場合、芳香剤３９に関して特に大切な事は、固形形状であるという事であり、液状香料及び芳香物質をバインダーによって固体形状の物に結合させるとか、液状香料及び芳香物質を基材である天然油脂等に賦香させたものを固形形状にするようなことが考えられる。  尚、この場合、バインダーや基材自体も、圧縮空気の圧力下で徐々に蒸発気化するようなものを選択するのが望ましい。【００３１】  ここで、液状香料及び芳香物質としてどの様な物が考えられるかと言うと、天然香料（じゃ香、びょう香、かいり香、りゅうぜん香等の動物性香料、植物の根幹、枝葉、花、花つぼみ、果皮、種子等から水蒸気蒸留により留流させた植物性香料）、合成香料（抽出香料及びタール系または���油化学製品等の純合成原料から酸化、縮合等の合成反応によって得られる物等）を用いる事が出来る。  更には、植物性天然香料としては、シトロネラ油、カンファー油、レモン油、レモングラス油、オレンジ油、ペパーミント油、ユーカリ油、ラベンダー油、オコチャ油、ポアドローズ油、ベルガモット油、スペアミント油、ライム油、プチグレン油、クローブ油、ペチパ油、イランイラン油等を上げる事が出来る。  加えて、合成香料としては、例えばベンゼン系合成香料、人造じゃ香、テンペン系合成香料等がある。【００３２】  この様にして、匂いを付加された圧縮空気は圧縮空気配管１０４を経由してブローガン４０に送られ、ゴルフプレイヤー２３１によってブローガン４０を必要に応じて操作することで匂いの付加された圧縮空気を放出することが可能となっているのである。  また、それによって一般的にはゴルフシューズに付着した塵や身体に付着した塵等を圧縮空気によって除去するのに用いられるが、万一圧縮空気が顔の方に向けられたとしても、潤滑油が酸化されること等による不快な臭気に打ち勝って、ゴルフプレイヤー２３１や周囲の人達の心を癒してくれるのである。【００３３】  この場合、一般的にはゴルフ場に於いて、壁２５２に貫通している配管部材２５３は、横に一定の間隔を持って十か所前後準備されている。  従って、複数の芳香容器３０を経由させない圧縮空気だけのブローガン４０と、複数の芳香容器３０を経由させたブローガン４０を準備して、特に複数の芳香容器３０には、一種または複数種の芳香剤３９を個々に収納することで、匂いを希望しないゴルフプレイヤー２３１は圧縮空気だけを、匂いを希望するゴルフプレイヤー２３１は希望する匂いの付加された圧縮空気を自由に選択することが可能となっているのである。【００３４】  尚、複数の配管部材２５３とエアーコンプレッサ１０との接続する関係としては、一台のエアーコンプレッサ１０から乾燥装置２０である冷凍式エアードライヤ２０を経由した後に分岐させることで全ての配管部材２５３を対応しても構わないし、一台のエアーコンプレッサ１０から乾燥装置２０である冷凍式エアードライヤ２０を経由した後に４〜８組の配管部材２５３を対応することで複数台のエアーコンプレッサ１０を使用しても構わない。【００３５】  本発明による、ゴルフプレイヤーに付着した汚れの除去方法および除去装置は前述したように構成されており、以下にその動作について説明する。【００３６】  先ず、複数の芳香容器３０内に、必要とする一種または複数種の芳香剤３９を個々に収納する。  当然のことながら、収納された芳香剤３９が何で有るかをゴルフプレイヤー２３１に解かる様に、芳香容器３０の表面やブローガン４０等に芳香剤３９の種類を表示する等のことをしておくことが必要である。  また、エアーコンプレッサ１０からブローガン４０に至る、全ての配管を接続し、開閉弁９１を開放することで本願発明の装置が使用可能な状態になる。【００３７】    その様な状況の中で、エアーコンプレッサ１０と冷凍式エアードライヤ２０の電源スイッチを入れることで、エアーコンプレッサ１０を構成している電動機１２が作動を行なうことで、その電動機１２の回転運動がベルト１４によって空��圧縮機１１に伝えられ、大気２０１を吸引しながら圧縮空気を作り出し、その圧縮空気をエアータンク１３に貯留することを開始する。【００３８】  そこで、ゴルフプレイヤー２３１がブローガン４０を作動させると、エアータンク１３に貯留された圧縮空気が、圧縮空気配管１０１と、開閉弁９１と、圧縮空気配管１０２と、乾燥装置２０である冷凍式エアードライヤ２０と、圧縮空気配管１０３と、雌ネジ継手９２と、配管部材２５３と、雌ネジ雄ネジ継手９３と、芳香容器３０と、圧縮空気配管１０４と、ブローガン４０を経由して、ブローガン４０から排出されるようになっているのである。【００３９】  その際、ゴルフプレイヤー２３１は、自分の好みに応じて匂いを選択することが出来るし、時には匂いを付加されていない圧縮空気を選択することも可能である。【００４０】  そして、圧縮空気は、乾燥装置２０である冷凍式エアードライヤ２０を通過する際に乾燥し、芳香容器３０を通過する際に収納された芳香剤３９から匂いを付加させて、ブローガン４０から匂いを付加した圧縮空気を排出可能にしているのである。  尚、乾燥装置２０である冷凍式エアードライヤ２０で圧縮空気を乾燥させる目的は、もし湿った圧縮空気が芳香容器３０に送り込まれると、芳香容器３０内部に水滴が発生することで、芳香剤３９から匂いを発生するのを阻害するし、圧縮空気を通過することにも障害となるので、それ等を防止する為でもある。
【実施例２】
【００４１】  図３に見られるように、実施例２が実施例１と異なる点は、実施例１では配設していたエアーコンプレッサ１０と開閉弁９１と乾燥装置２０である冷凍式エアードライヤ２０に対して、実施例１ではエアーコンプレッサ１０Ａと乾燥装置２０Ａである冷凍式エアードライヤ２０Ａを一体にして乾燥装置一体型エアーコンプレッサ１とし、その下流に開閉弁９１を位置させたことである。【００４２】  尚、エアーコンプレッサ１０Ａの構成に関しては、図３に具体的に示していないが、エアーコンプレッサ１０と同じであり、空気圧縮機１１と電動機１２とエアータンク１３とベルト１４によって構成されている。  この事によって、乾燥装置と空気圧縮機の設置が単純で容易となったことは明らかであり、両者の占有する面積も格段に少なくなった事は断言出来る。【００４３】  この場合、図３に於いては、戸外２１２に位置している芳香容器３０やブローガン４０の記載が省略されているが、全て実施例１に同じと考えて良い。  また、動作についても例外事項を含めて、実施例１に同じと考えて良い。
【実施例３】
【００４４】  図４に見られるように、実施例３が実施例１と異なる点は、実施例１では配管部材２５３と芳香容器３０の間を雌ネジ雄ネジ継手９３で接続していたものを、実施例３では雌ネジ継手９４ａと雄ネジ継手９４ｂから構成されているワンタッチ継手９４で接続したことである。  この場合、この様に構成することによって、この間の離脱が非常に容易となり、従って芳香容器３０内の芳香剤３９を交換することも容易になったと言う事が出来るのである。  尚、芳香容器３０と圧縮空気配管１０４との間にもワンタッチ継手９４を配設することも一つの考え方である。【００４５】  この場合、図４に於いては、屋内２１１に位置しているエアーコンプレッサ１０や乾燥装置２０である冷凍式エアードライヤ２０の記載が省略されているが、全て実施例１に同じと考えて良い。  また、動作についても例外事項を含めて、実施例１に同じと考えて良い。
【産業上の利用可能性】
【００４６】  この発明は、ゴルフプレイヤーに付着した汚れの除去方法および除去装置に関する技術であって、更に詳細に述べるならば、圧縮空気に匂いを付加することで、ゴルフプレイヤーに付着した汚れを除去するに際して、一般に圧縮空気はエアーコンプレッサによって作り出すのが普通であり、その場合に潤滑油が酸化されること等による不快な臭気に打ち勝って、ゴルフプレイヤーや周囲の人達に癒しを与える技術について述べたものであり、ゴルフプレイヤーがゴルフ場に於いて円滑に楽しくプレイが出来ることを目的としたものである
【図面の簡単な説明】
【００４７】
【図１】  本願発明の全体を示した図
【図２】  本願発明の芳香容器の詳細図
【図３】  本願発明の乾燥装置一体型エアーコンプレッサを示した図
【図４】  本願発明の芳香容器をワンタッチ継手で接続した図
【図５】  従来の全体を示した図
【符号の説明】
【００４８】  １・・・・・・・乾燥装置一体型エアーコンプレッサ
１０・・・・・・エアーコンプレッサ
１０Ａ・・・・・エアーコンプレッサ
１１・・・・・・空気圧縮機
１２・・・・・・電動機
１３・・・・・・エアータンク
１４９・・・・・ベルト
２０・・・・・・乾燥装置（冷凍式エアードライヤ）
２０Ａ・・・・・乾燥装置（冷凍式エアードライヤ）
３０・・・・・・芳香容器
３１・・・・・・本体
３１ａ・・・・・圧縮空気入口
３１ｂ・・・・・入口側流路
３１ｃ・・・・・出口側流路
３１ｄ・・・・・圧縮空気出口
３２・・・・・・芳香剤収納チャンバー
３３・・・・・・芳香流出管
３３ａ・・・・・芳香流出管入口
３４・・・・・・Ｏリング
３９・・・・・・芳香剤
４０・・・・・・ブローガン
９１・・・・・・開閉弁
９２・・・・・・雌ネジ継手
９３・・・・・・雌ネジ雄ネジ継手
９４・・・・・・ワンタッチ継手
９４ａ  ・・・・雌ネジ継手
９４ｂ  ・・・・雄ネジ継手
１０１・・・・・圧縮空気配管
１０２・・・・・圧縮空気配管
１０３・・・・・圧縮空気配管
１０４・・・・・圧縮空気配管
１０５・・・・・圧縮空気配管
１０６・・・・・圧縮空気配管
１０７・・・・・圧縮空気配管
２０１・・・・・大気
２１１・・・・・室内
２１２・・・・・戸外
２３１・・・・・ゴルフプレイヤー
２５１・・・・・建物
２５２・・・・・壁
２５３・・・・・配管部材
２５３ａ・・・・雄ネジ
２５３ｂ・・・・雄ネジ
【図１】
2009255021.tif 000003
【図２】
2009255021.tif 000004
【図３】
2009255021.tif 000005
【図４】
2009255021.tif 000006
【図５】
2009255021.tif 000007